(57)【要約】      （修正有）【課題】小さな力でクロスバーが開き且つ確実に閉まり不用意に開くことがなく、簡単に設置できるゲートの安全装置を提供する。【解決手段】支柱頂上部の中央部に回動可能に設けられた支軸に回動体を取り付けて、回動体の側面から支軸に対して直角方向に伸びるクロスバーを着脱自在に取り着けるとともに、回動体の側面に突状体を設け、クロスバーが９０度程度に回動可能とすべく、支柱頂上部に突状体と対向する第１係止棒と、クロスバーに対向する第２係止棒をクロスバーの左右側に離間して配設し、突状体と第１係止棒とが対向する何れか片側または両側に互いに引き合う磁石を配置するとともに、突状体と第１係止棒が近接する方向に弾性付勢するばねを設けてなる。【選択図】図１
0003163505.tif 000002
【実用新案登録請求の範囲】
【請求項１】
通行を遮断しようとする通路側縁部に支柱を設け、該支柱の頂上部にクロスバーを水平方向に回動可能に取り付けたゲートの安全遮断装置において、前記支柱頂上部の中央部に回動可能に設けられた支軸に回動体を取り付けて該回動体の側面から支軸に対して直角方向に伸びるクロスバーを着脱自在に取り着けるとともに回動体の側面に突状体を設け、前記クロスバーが９０度程度に回動可能とすべく前記支柱頂上部に前記突状体と対向する第１係止棒と、前記クロスバーに対向する第２係止棒をクロスバーの左右側に離間して配設し、前記突状体と第１係止棒とが対向する何れか片側または両側に互いに引き合う磁石を配置するとともに前記突状体と第１係止棒が近接する方向に弾性付勢するばねを設けてなることを特徴とするゲートの安全遮断装置。
【請求項２】
前記ゲートの安全遮断装置において、側面にクロスバーを通す貫通孔を穿設したキャップを前記回動体の上部に載着し、前記クロスバーを貫通孔に通して回動体に着脱自在に取り着けることを特徴とする請求項１記載のゲートの安全遮断装置。
【請求項３】
前記ゲートの安全遮断装置において、前記支柱の頂上部における部材の構成を平面視にて左右反転して構成した以外は請求項１または２記載のゲートの安全遮断装置と同様に構成したことを特徴とするゲートの安全遮断装置。
【考案の詳細な説明】
【技術分野】
【０００１】
本考案は、工場や配送現場などにおいて、歩行者の通行を一旦止めて歩行者が自らゲートを開くことによって注意力を高め、歩道から車道への人の飛び出しによる事故を未然に防止するゲートの安全遮断装置に関する。
【背景技術】
【０００２】
近年、自動車による貨物の運送業務が発達するにともなって、工場や配送現場などにおいて、人の飛び出しによる事故が増加している。かかる事故防止のために、例えば、特許文献１に記載の安全遮断ポールの発明が開示されている。この発明は、路面に固定された支柱ポールに遮断バーをベアリング機構等によって、開いた位置から閉じた位置にかけてやや下方に傾斜させて取り付けることによって、遮断バーを回動後に自動復帰するように構成されている。しかし、自動復帰を可能にする程に遮断バーを傾斜すると外観上不安定感を与え、また、強風により遮断バーが開いたり設置が困難な場合があり問題であった。
【先行技術文献】
【特許文献】
【０００３】
【特許文献１】実用新案登録第３１００３８９号公報
【考案の概要】
【考案が解決しようとする課題】
【０００４】
本願考案者は、前記の問題点を解消すべく鋭意研究した結果、弾性付勢ばねを用いたクロスバーの開閉機構においては、クロスバーが不用意に開かないように必要以上に強い弾性付勢ばねを用いると、クロスバーを開けるのに強い力を要した。そこで、本考案の弾性付勢ばねを用いるクロスバーの開閉機構においては、クロスバーを閉める役割を弾性付勢ばねに負わせ、閉まったクロスバーが不用意に開かないようにする役割を磁石に負わせる役割分担することを見出して本考案に想到したものであり、本考案は、前記問題点を解消して、できるだけ小さな力でクロスバーが開き且つ確実に閉まり不用意に開くことがなく、しかも簡単に設置できるゲートの安全遮断装置を得ることを目的とする。
【課題を解決するための手段】
【０００５】
前記の課題を解決するために、本考案は、通行を遮断しようとする通路側縁部に支柱を設け、該支柱の頂上部にクロスバーを水平方向に回動可能に取り付けたゲートの安全遮断装置において、前記支柱頂上部の中央部に回動可能に設けられた支軸に回動体を取り付けて該回動体の側面から支軸に対して直角方向に伸びるクロスバーを着脱自在に取り着けるとともに回動体の側面に突状体を設け、前記クロスバーが９０度程度に回動可能とすべく前記支柱頂上部に前記突状体と対向する第１係止棒と、前記クロスバーに対向する第２係止棒をクロスバーの左右側に離間して配設し、前記突状体と第１係止棒とが対向する何れか片側または両側に互いに引き合う磁石を配置するとともに前記突状体と第１係止棒が近接する方向に弾性付勢するばねを設けてなることを特徴とするゲートの安全遮断装置とする（請求項１）。
【０００６】
また、前記の課題を解決するために、本考案は、前記ゲートの安全遮断装置において、側面にクロスバーを通す貫通孔を穿設したキャップを前記回動体の上部に載着し、前記クロスバーを貫通孔に通して回動体に着脱自在に取り着けることを特徴とする前記のゲートの安全遮断装置とすることが好ましい（請求項２）。
【０００７】
また、前記の課題を解決するために、本考案は、前記ゲートの安全遮断装置において、前記支柱の頂上部における部材の構成を平面視にて左右反転して構成した以外は前記のゲートの安全遮断装置と同様に構成したことを特徴とするゲートの安全遮断装置とすることが好ましい（請求項３）。
【考案の効果】
【０００８】
本考案のゲートの安全遮断装置は、前記のように構成することによって、比較的小さな力でクロスバーが開き且つ確実に閉まり不用意に開くことがなく、しかも簡単に設置できるので便利であり、閉まった状態でクロスバーが水平状態を保持するので外観上も安定感を与える効果を奏する。
【図面の簡単な説明】
【０００９】
【図１】（ａ−１）図は、第１実施の形態に係るゲートの安全遮断装置の側面図及び対応する平面図であり、（ａ−２）図は、同じく背面図及び対応する平面図である。
【図２】図１の部分拡大図である。
【図３】（ａ）図は、第１実施の形態に係るゲートの安全遮断装置の頂上部を示す平面図であり、（ｂ）は、（ａ）を左右反転させた第２実施の形態に係る図であり、（ａ’）及び（ｂ’）は、（ａ）及び（ｂ）のクロスバーをそれぞれ矢印の方向に９０度回動させた平面図である。
【考案を実施するための形態】
【００１０】
本考案を実施するための形態（以下「実施の形態」と称する）について、以下に詳細に説明する。しかし、本考案は、かかる実施の形態に限定されるものではない。本考案の実施の形態に係るゲートの安全遮断装置は、通行を遮断しようとする通路側縁部に支柱を設け、該支柱の頂上部にクロスバーを水平方向に回動可能に取り付けたゲートの安全遮断装置において、前記支柱頂上部の中央部に回動可能に設けられた支軸に回動体を取り付けて該回動体の側面から支軸に対して直角方向に伸びるクロスバーを着脱自在に取り着けるとともに回動体の側面に突状体を設け、前記クロスバーが９０度程度に回動可能とすべく前記支柱頂上部に前記突状体と対向する第１係止棒と、前記クロスバーに対向する第２係止棒をクロスバーの左右側に離間して配設し、前記突状体と第１係止棒とが対向する何れか片側または両側に互いに引き合う磁石を配置するとともに前記突状体と第１係止棒が近接する方向に弾性付勢するばねを設けてなることを特徴とする。
【００１１】
図１の（ａ−１）図は、第１実施の形態に係るゲートの安全遮断装置の側面図及び対応する平面図であり、（ａ−２）図は、同じく背面図及び対応する平面図である。図２は、図１の部分拡大図である。図３の（ａ）は、第１実施の形態に係るゲートの安全遮断装置の頂上部を示す部分平面図であり、（ｂ）は、（ａ）を左右反転（ミラー反転）させた第２実施の形態に係る図であり、（ａ’）及び（ｂ’）は、（ａ）及び（ｂ）のクロスバーをそれぞれ矢印の方向に９０度回動させた平面図である。
【００１２】
本第１実施の形態に係るゲートの安全遮断装置１は、図１に示すように、通行を遮断しようとする通路側縁部に支柱１１を設け、該支柱１１の頂上部にクロスバー１２を水平方向に回動可能に取り付けたものからなる。支柱１１の素材は特に限定するものではないが、通常、鉄や合金などの金属製パイプを使用することが好ましい。係る金属製パイプの先端部を金属板で蓋をしてその上に台座１３を設け、この台座１３の中央部に支軸１４を遊挿する支軸孔を穿設し、その支軸孔の先端部に支軸１４を受ける軸受け１５を形成する。軸受け１５はボールベアリング等を用いてが回動可能に構成することが好ましい。
【００１３】
前記支軸１４の上部に回動体１６を取り付けて該回動体１６の側面から支軸１４に対して直角方向に伸びるクロスバー１２を着脱自在に取り着ける。回動体１６は、例えば金属製の円柱状若しくは円柱状の側面を軸方向に一部カットしたもので、その側面に例えば円筒状のクロスバー１２を着脱自在に螺着する。クロスバー１２はジュラルミン、アルミニウム等の軽金属製円筒や棒状体などの他にＦＲＰ、カーボンファイバー等のプラスチック製のものが好ましい。クロスバー１２の根本部にはボルト２４が取り付けてあり、回動体１６の側面の雌ねじに螺着するように構成される。このクロスバー１２の取り付け位置から約９０度位離間した回動体１６の側面に立方体状の突状体１８を取り付ける。
【００１４】
前記支柱頂上部に前記突状体１８と対向する第１係止棒１９をクロスバー１２の右側後方に取り付け、前記クロスバー１２に対向する第２係止棒２０をクロスバーの左側後方に第１係止棒１９とやや離間して取り付ける。これらの係止棒はクロスバー１２が当接する際に受け止める強度を有する限りにおいて素材など限定されるものではないが金属製のものが好ましい。前記突状体１８と第１係止棒１９とが対向する何れか片側または両側に互いに引き合う磁石２１を配置する。本実施の形態においては、鉄製の第１係止棒１９と互いに引き合う磁石２１を突状体１８の側面に鉄製の第１係止棒１９と対向して設けた。
【００１５】
更に、前記支軸１４にコイルばね２３を挿着し、その一端を回動体１６の底面に、他端を台座１３に連結して、前記突状体１８と第１係止棒１９が近接する方向に弾性付勢するように構成した。また、支柱１１の根本部には支柱１１を地面に設置するするためのフランジ状のスタビライザー１７を支柱１１と一体的に設けてアンカーボルトなどで地面に設置するように構成することが好ましい。
【００１６】
前記ゲートの安全遮断装置１において、側面にクロスバー１２を通す貫通孔を穿設したキャップ２２を前記回動体１６の上部に被せてキャップ２２の頂部をボルト２４等で螺着し、前記クロスバー１２を貫通孔に通して回動体１６に着脱自在に取り着ける。キャップ２２は、支柱頂上部と僅かに離間して回動体１６の上部に固定されるので、クロスバー１２の回動とともに回動する。
【００１７】
図３（ｂ）に示す本第２実施の形態に係るゲートの安全遮断装置１は、（ａ）に示す前記本第１実施の形態に係るゲートの安全遮断装置１において、前記支柱１１の頂上部における部材の構成を平面視にて左右反転（ミラー反転）して構成した以外は前記本第１実施の形態に係るゲートの安全遮断装置１と同様である。第１実施の形態第に係るゲートの安全遮断装置と第２実施の形態に係るゲートの安全遮断装置は、ゲートの安全遮断装置を通路の左右何れの側縁部に設けるかによって選択して使い分けることが好ましい。また、第１実施の形態に係るゲートの安全遮断装置を通路の左側に設置し、第２実施の形態に係るゲートの安全遮断装置を通路の右側に設置する、と言うぐあいに通路を挟んでその両側縁部に設置した場合に、クロスバーは何れも手前側に回動するので好ましい。
【産業上の利用可能性】
【００１８】
近年、自動車による貨物の運送業務が発達するにともなって、工場や配送現場などにおいて、歩行者の安全を確保する必要が高まっているなかで、歩道から車道への人の飛び出しによる事故を未然に防止する本考案のゲートの安全遮断装置は広く普及する可能性が高く且つ極めて有用である。
【符号の説明】
【００１９】
１：ゲートの安全遮断装置、１１：支柱、１２：クロスバー、１３：台座、１４：支軸、１５：軸受け、１６：回動体、１７：スタビライザー、１８：突状体、１９：第１係止棒、２０：第２係止棒、２１：磁石、２２：キャップ、２３：コイルばね、２４：ボルト
【図１】
0003163505.tif 000003
【図２】
0003163505.tif 000004
【図３】
0003163505.tif 000005
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
通行を遮断しようとする通路側縁部に支柱を設け、該支柱の頂上部にクロスバーを水平方向に回動可能に取り付けたゲートの安全遮断装置において、前記支柱頂上部の中央部に回動可能に設けられた支軸に回動体を取り付けて該回動体の側面から支軸に対して直角方向に伸びるクロスバーを着脱自在に取り着けるとともに回動体の側面に突状体を設け、前記クロスバーが９０度程度に回動可能とすべく前記支柱頂上部に前記突状体と対向する第１係止棒と、前記クロスバーに対向する第２係止棒をクロスバーの左右側に離間して配設し、前記突状体と第１係止棒とが対向する何れか片側または両側に互いに引き合う磁石を配置するとともに前記突状体と第１係止棒が近接する方向に弾性付勢するばねを設けてなることを特徴とするゲートの安全遮断装置。
【請求項２】
請求項１記載のゲートの安全遮断装置において、前記支柱の頂上部における以下の部材、
前記支柱頂上部の中央部に設けられた回動自在な支軸に取り付けられる回動体、該回動体に着脱自在に設けられるクロスバー及び回動体の側面に設けられる突状体と、
前記突状体と対向する第１係止棒と、
前記クロスバーに対向しクロスバーの左右側に離間して配設される第２係止棒と、
前記突状体と第１係止棒とが対向する何れか片側または両側に互いに引き合う磁石と、
前記突状体と第１係止棒が近接する方向に弾性付勢するばねと、
を前記クロスバーの長手方向に対して平面視にて左右反転して設置することを特徴とするゲートの安全遮断装置。
【請求項３】
前記ゲートの安全遮断装置において、側面にクロスバーを通す貫通孔を穿設したキャップを前記回動体の上部に載着し、前記クロスバーを貫通孔に通して回動体に着脱自在に取り着けることを特徴とする請求項１または２記載のゲートの安全遮断装置。
【手続補正２】
【補正対象書類名】明細書
【補正対象項目名】０００６
【補正方法】変更
【補正の内容】
【０００６】
また、前記の課題を解決するために、本考案は、前記のゲートの安全遮断装置において、
前記支柱の頂上部における以下の部材、
前記支柱頂上部の中央部に設けられた回動自在な支軸に取り付けられる回動体、該回動体に着脱自在に設けられるクロスバー及び回動体の側面に設けられる突状体と、
前記突状体と対向する第１係止棒と、
前記クロスバーに対向しクロスバーの左右側に離間して配設される第２係止棒と、
前記突状体と第１係止棒とが対向する何れか片側または両側に互いに引き合う磁石と、
前記突状体と第１係止棒が近接する方向に弾性付勢するばねと、
を前記クロスバーの長手方向に対して平面視にて左右反転して設置することを特徴とするゲートの安全遮断装置とすることが好ましい（請求項２）。
【手続補正３】
【補正対象書類名】明細書
【補正対象項目名】０００７
【補正方法】変更
【補正の内容】
【０００７】
また、前記の課題を解決するために、本考案は、前記ゲートの安全遮断装置において、側面にクロスバーを通す貫通孔を穿設したキャップを前記回動体の上部に載着し、前記クロスバーを貫通孔に通して回動体に着脱自在に取り着けることを特徴とする前記のゲートの安全遮断装置とすることが好ましい（請求項３）。
【手続補正４】
【補正対象書類名】明細書
【補正対象項目名】００１７
【補正方法】変更
【補正の内容】
【００１７】
図３（ｂ）に示す本第２実施の形態に係るゲートの安全遮断装置１は、図３（ａ）に示す前記本第１実施の形態に係るゲートの安全遮断装置１において、前記支柱１１の頂上部における以下の部材、前記支柱頂上部の中央部に設けられた回動自在な支軸に取り付けられる回動体１６、該回動体に着脱自在に設けられるクロスバー１２及び回動体の側面に設けられる突状体１８と、前記突状体と対向する第１係止棒１９と、前記クロスバーに対向しクロスバーの左右側に離間して配設される第２係止棒２０と、前記突状体と第１係止棒とが対向する何れか片側または両側に互いに引き合う磁石２１と、前記突状体と第１係止棒が近接する方向に弾性付勢するばね２３と、を前記クロスバーの長手方向に対して平面視にて左右反転して設置することを特徴とする。第１実施の形態第に係るゲートの安全遮断装置と第２実施の形態に係るゲートの安全遮断装置は、ゲートの安全遮断装置を通路の左右何れの側縁部に設けるかによって選択して使い分けることが好ましい。また、第１実施の形態に係るゲートの安全遮断装置を通路の左側に設置し、第２実施の形態に係るゲートの安全遮断装置を通路の右側に設置する、と言うぐあいに通路を挟んでその両側縁部に設置した場合に、クロスバーは何れも手前側に回動するので好ましい。